(57)【要約】  【課題】簡単な構造であって、種々の品物を無作為に取り出すことによって抽選等に使用できる箱を安価に提供すること。  【解決手段】本発明にかかる抽選箱は、複数個の品物を収納する箱状の収納部と、前記収納部に収納された品物の少なくとも何れか１つを無作為に取り出すスライド式の取り出し機構とを備え、前記取り出し機構は、前記収納部の底に設けられた落下孔を開閉するスライド式の本体部を備えるとともに、開いた状態では、少なくとも１個の品物を内部に待機させ、閉じた状態では、前記待機させた品物を落下させて収納部の外部へ取り出し得るように構成されている。【選択図】      図１
2008146299.tif 000002
【特許請求の範囲】
【請求項１】
複数個の品物を収納する箱状の収納部と、
前記収納部に収納された品物の少なくとも何れか１つを無作為に取り出すスライド式の取り出し機構と、
を備えたことを特徴とする抽選箱。
【請求項２】
前記取り出し機構は、
前記収納部の底に設けられた落下孔を開閉するスライド式の本体部を備えるとともに、
開いた状態では、少なくとも１個の品物を内部に待機させ、
閉じた状態では、前記待機させた品物を落下させて収納部の外部へ取り出し得る
ように構成されていることを特徴とする請求項１に記載の抽選箱。
【請求項３】
前記取り出し機構は、
前記取り出し機構を押し込んで、品物の取り出し位置にスライドさせるように構成された操作部と、
品物の取り出し位置に押し込まれた前記操作部を、元の待機位置にスライドさせて復帰させる方向に付勢する付勢手段と
を付加したことを特徴とする請求項１、２の何れか１項に記載の抽選箱。
【請求項４】
前記取り出し機構は、
前記収納部の下に配設されるとともに、
前記収納部に底に設けられた落下孔と前記取り出し機構に設けられた通過孔とが上下方向に一致した待機位置のときには、１個の品物を内部に待機させ、
前記操作部が押し込まれたときには、品物の取り出し位置にスライドして、前記待機させた１個の品物を落下させて収納部の外部へ取り出し得る
ように構成されていることを特徴とする請求項１、２、３の何れか１項に記載の抽選箱。
【発明の詳細な説明】
【技術分野】
【０００１】
本発明は、簡単な操作で、内部に収納した複数の品物（景品）の中から、少なくとも何れかひとつが、無作為に取り出せるように構成された抽選箱に関するものである。
【背景技術】
【０００２】
従来より、複数種類の景品の何れか１個もしくは複数個を無作為（ランダム）に取り出すことのできるように構成されている箱（抽選箱など）が知られている。
たとえば、抽選会などで用いられる回転式の抽選箱の場合は、赤色の玉と、赤以外の色玉とが複数個収納された箱を回転させ、前記箱の一部に開けられた穴から無作為に選ばれて転がり出てきた玉の色が赤であれば「当たり」赤以外であれば「外れ」などとしている。
【発明の開示】
【発明が解決しようとする課題】
【０００３】
ところが、上述したような従来の抽選箱では、回転させる機構が必要になるため、構造が複雑になり、結果として、抽選箱の価格も安くはできないという問題があった。
玉が出てくる孔は小さな孔であるため、品物そのものを転がり出すことはできなかった。
【０００４】
そこで、本発明は、簡単な構造であって、種々の品物を無作為に取り出すことによって抽選等に使用できる箱を安価に提供することを目的としてなされたものである。
【課題を解決するための手段】
【０００５】
本発明にかかる請求項１の抽選箱は、
複数個の品物を収納する箱状の収納部と、
前記収納部に収納された品物の少なくとも何れか１つを無作為に取り出すスライド式の取り出し機構と、
を備えたことを特徴としている。
請求項２では、
前記取り出し機構は、
前記収納部の底に設けられた落下孔を開閉するスライド式の本体部を備えるとともに、
開いた状態では、少なくとも１個の品物を内部に待機させて保持し、
閉じた状態では、前記待機させた品物を落下させて収納部の外部へ取り出し得る
ように構成されている。
請求項３では、
前記取り出し機構は、
前記取り出し機構を押し込んで、品物の取り出し位置にスライドさせるように構成された操作部と、
品物の取り出し位置に押し込まれた前記操作部を、元の待機位置にスライドさせて復帰させる方向に付勢する付勢手段と
を付加した。
請求項４では、
前記取り出し機構は、
前記収納部の下に配設されるとともに、
前記収納部に底に設けられた落下孔と前記取り出し機構に設けられた通過孔とが上下方向に一致した待機位置のときには、１個の品物を内部に待機させ、
前記操作部が押し込まれたときには、品物の取り出し位置にスライドして、前記待機させた１個の品物を落下させて収納部の外部へ取り出し得る
ように構成されている。
【発明の効果】
【０００６】
本発明にかかる抽選箱の取り出し機構は、収納部に収納された品物の少なくとも何れか１つを無作為に取り出すスライド式の取り出し機構であるので、簡単な構造で抽選箱を構成できる。ここでいう無作為とは、操作する人が意図した品物を選択して取り出すことはできないという意味であり、何れか１つが取り出される構造となっている。
また、前記取り出し機構は、前記収納部の底に設けられた落下孔を開閉するスライド式の本体部を備えるとともに、開いた状態では、少なくとも１個の品物を内部に待機させ、閉じた状態では、前記待機させた品物を落下させて収納部の外部へ取り出し得るように構成されているので、品物を１個ずつ取り出すことができる。
また、前記取り出し機構は、前記取り出し機構を押し込んで、品物の取り出し位置にスライドさせるように構成された操作部と、品物の取り出し位置に押し込まれた前記操作部を、元の待機位置にスライドさせて復帰させる方向に付勢する付勢手段とを付加することにより、操作部を押し込むと品物を取り出し、押し込む力を取り除くと付勢手段によって元の待機位置に復帰するように構成したので、繰り返し取り出すことができる。
また、前記取り出し機構は、前記収納部の下に配設されるとともに、前記収納部に底に設けられた落下孔と前記取り出し機構に設けられた通過孔とが上下方向に一致した待機位置のときには、１個の品物を内部に待機させ、前記操作部が押し込まれたときには、品物の取り出し位置にスライドして、前記待機させた１個の品物を落下させて収納部の外部へ取り出し得るように構成されているので、品物を１個ずつ取り出すことができる。
【発明を実施するための最良の形態】
【０００７】
以下に、本発明にかかる抽選箱を、その実施の形態を示した図面に基づいて詳細に説明する。
抽選箱の斜視図を示した図１において、
１は本発明の実施形態としての抽選箱であり、ほぼ直方体状の箱である。その１側面（正面）の中間の高さには押しボタン状の操作部２が押し込み可能に凸設されている。この操作部２の下方で底面近傍の前記１側面（正面）には、景品が転がり出るための開口部３が形成されている。また、前記箱１の天面は開閉可能な蓋となっている。そして、箱１の表面には広告などが表示されている。
上記構成の箱１の正面の操作部２を箱１の方に押し込むと、前記開口部３から景品が１つ転がり出るように構成れている。
【０００８】
前記箱１の内部構造を示した図２において、
４は前記箱１の内部を上下に仕切るための仕切り材であり、この仕切り材４によって上部空間４１が形成されている。前記仕切り板４は、前記箱１の高さの中間高さよりわずかに上側（天面からＬ１の位置）に固定されている。前記上部空間４１には複数の景品Ａを格納しておく。格納する景品Ａはたとえば直径ｄの球体とする。
前記仕切り材４の中央よりわずかに正面側の位置（中心位置が正面からＬ２の位置）に落下孔４２が形成されている。この落下孔４２は、前記景品Ａが１つだけ容易に通過できる大きさに設定されている。たとえば、景品Ａの直径ｄよりわずかに大きく1.1倍程度に設定されている。前記落下孔４２の平面形状は円形でもよいが、矩形でもよい。
【０００９】
前記箱１の正面には押し込み孔５１が形成され、この押し込み孔５１にはスライド体５が、ほぼ水平方向にスライド自在に挿入されている。前記スライド体５の斜視図を図３に示した。図に示したように、前記スライド体５は、箱１の内部に位置する本体部５２と、箱１の正面から突出する操作部２とから構成され、前記操作部２の横幅Ｌ３は前記押し込み孔５１の横幅Ｌ４（図示せず。）よりわずかに狭くして、スライド自在な大きさに形成されている。前記本体部５２の横幅Ｌ５は前記押し込み孔５１の横幅より広く形成され、箱１の外側に飛び出さないように構成されている。
前記本体部５２には、操作部２との境界部分からＬ２の位置を中心位置する通過孔５４が形成されている。前記通過５４の平面形状は円形でもよいが、矩形でもよい。
６は前記本体部５２のゴム通し孔５５に挿通されたゴム紐であり、両端にループが形成され、これらのループは前記本体部５２の上面から引き出されている。
【００１０】
再び、図２において、前記押し込み孔５１に挿入されたスライド体５は、前記ゴム紐６の両端のループを前記仕切り材４の止めピン４３に掛止することによって、正面方向へ付勢されている。すなわち、前記ゴム紐６による適正な付勢力が常時得られるように、前記止めピン４３の位置は前記ゴム通し孔５５の位置より正面側に設定されている。適正な付勢力とは、前記操作部２を押していない状態（図２の状態）では、前記操作部２が最大限正面から突出して前記落下孔４２と前記通過孔５４とがほぼ同じ位置となり、前記操作部２を人が指で押した状態（後述する図４の状態）では若干の抵抗で押し込まれて、前記スライド体５が押し込まれるような付勢力である。
【００１１】
７は支え板であり、上部空間４１から落下孔４２と通過孔５４を通って落下してきた景品Ａを一時的に支えるように配設されている。具体的には、前記支え板７は、前記仕切り材４の下方で距離Ｌ６だけ離して配設されている。この距離Ｌ６は前記景品Ａの直径ｄ以上であり、前記スライド体５の下面と前記支え板７の上面との距離は前記景品Ａの直径ｄより小さくなるように設定されている。
即ち、前記スライド体５の厚みをＬ７とすると、Ｌ６−Ｌ７＜ｄ−Ｌ６ という関係に設定されている。
【００１２】
また、前記支え板７の長さＬ８は、前記操作部２との境界部分から前記通過孔５４の中心までの距離Ｌ２より長く設定され、且つ、図２の状態では景品Ａが落下しないように、前記支え板７の先端と前記通過孔５４の内縁との距離Ｌ９は前記景品Ａの直径ｄより小さくなるように設定されている。
さらに、前記支え板７の先端と当該箱１の背面との隙間、および底面との隙間は、図４のように、落下した景品Ａが転がり出ることができるように、充分な間隔が確保されている。
【００１３】
図４に示したように、前記操作部２を押し込むと、スライド体５が．ほぼ水平に図中の左方へスライド移動し、前記通過孔５４に保持されていた景品Ａを前記左方へ移動させる。このとき、前記ゴム紐６はさらに伸びる。そして、前記景品Ａが左方へ移動する。
図４の状態では、前記支え板７の先端と前記通過孔５４の内縁との距離Ｌ９は前記景品Ａの直径ｄより広がるので、景品Ａは前記支え板７の先端と前記通過孔５４の内縁との隙間から落下して、底面に配置された傾斜板４５上を転がって、前記開口部３から転がり出てくるのである。
このとき、前記落下孔４２は、前記スライド体５で塞がれるので、他の景品が落下することはない。
【００１４】
次に、前記操作部２を押し込む力を取り除くと、伸びていたゴム紐６による付勢力によって、前記スライド体５は図中の右方へスライド移動して復帰し、図５に示したように、前記操作部２が突出した状態（図２の状態）に戻る。
このとき、前記落下孔４２と前記通過孔５４との位置が一致するので、上部空間４１に残っている景品Ａがあれば、その景品Ａは、前記落下孔４２と前記通過孔５４を通って落下して前記支え板７に支えられた状態で保持される。
【００１５】
本発明は、抽選用の箱にかぎらず、種々の品物を１個づつ取り出すことのできる箱の構造に関するものであるが、落下孔と通過孔の大きさを調整することによって複数個の品物を取り出すようにすることもできる。
また、ゴム紐に代えて他の弾性材料を使用することもできる。もしくは、押し込み操作も、引き出し操作も手作業で行ってもよい。
前記傾斜板を省略することもできる。
また、本発明の抽選箱の材質としては、厚紙や段ボールなどを使用できるが、樹脂板や天然木板などのような他の材質でもよい。
さらに、本発明の抽選箱の寸法や形状は、図示したものに限定されるものではなく、小さなものから大きなものまで種々の大きさが可能であり、形状は多面体や曲面を備えた種々の立体とすることができる。
そして、種々の動作機構を組み合わせたり、電子回路を組み込んだりすることもできる。
【実施例１】
【００１６】
実施例１の抽選箱の各部の寸法は以下の通りである。
Ｌ１＝10.5ｃｍ
Ｌ２＝ 6.5ｃｍ
Ｌ３＝ 5.4ｃｍ
Ｌ４＝ 5.5ｃｍ
Ｌ５＝ 8.6ｃｍ
Ｌ６＝ 5.5ｃｍ
Ｌ７＝ 1.8ｃｍ
Ｌ８＝ 8.5ｃｍ
Ｌ９＝ 4.3ｃｍ
また、実施例１の抽選箱の主な材質は薄手の段ボール紙である。
そして、景品Ａは、直径ｄが約5.4ｃｍのほぼ球状の透明ケースに収納された玩具である。景品が球状である場合には、その外径が６ｃｍ（＝Ｌ６）未満であって、且つ、外径が4.3ｃｍ（Ｌ９）より大きければ、１辺が６ｃｍである前記落下孔４２、前記通過孔５４、前記開口部３を通して取り出すことができる。
【００１７】
実施例１では、前記支え板７と傾斜板４５を形成するために、図６に示したように、２つの段ボール紙製の部材Ｓ１，Ｓ２を構成した。
第１の部材Ｓ１は、中間部分の深さがＬ６の溝形の部材であり、その溝の底で支え板７を構成している。奥行きの長さはＬ８相当である。
第２の部材Ｓ２は、前記第１の部材Ｓ１を内側に糊付けし得る溝形の部材であり、その溝の底で傾斜板４５を構成している。前記第１の部材Ｓ１の両外面ｑ，ｒを、前記第２の部材Ｓ２の内面Ｑ，Ｒに糊付けし、上縁に形成されている糊代Ｐを、前記仕切り材４の下面に糊付けして固定し、前記支え板７と傾斜板４５を形成する。
【図面の簡単な説明】
【００１８】
【図１】本発明にかかる抽選箱の実施の形態の全体斜視図である。
【図２】前記抽選箱の内部構成図である。
【図３】前記抽選箱の要部の斜視図である。
【図４】前記抽選箱の機構を説明する説明図である。
【図５】前記抽選箱の機構を説明する説明図である。
【図６】前記抽選箱の実施例１における要部の組立説明図である。
【符号の説明】
【００１９】
１  抽選箱
２  操作部
３  開口部
４  仕切り材
４１  上部空間
４２  落下孔
５  スライド体
５１  押し込み孔
５２  本体部
５４  通過孔
６  ゴム紐
７  支え板
Ａ  景品
【図１】
2008146299.tif 000003
【図２】
2008146299.tif 000004
【図３】
2008146299.tif 000005
【図４】
2008146299.tif 000006
【図５】
2008146299.tif 000007
【図６】
2008146299.tif 000008